(57)【特許請求の範囲】
【請求項１】
刀身部(1) と操作握部(2) との間に開閉中心となる連結部(3) を形成した一対の鋏要素が、操作握部(2) の開閉操作による刀身部(1) の開閉機能と、刀身部(1) 相互による剪断機能と、刀身部(1) 相互の所定の開き角度での鋏要素相互の分離機能を確保して、前記連結部(3) を開閉軸要素で開閉自在に連結するようにした分解式はさみにおいて、前記一対の鋏要素を第一鋏要素(A) と第二鋏要素(B)
とに分け、それぞれの鋏要素(A)、(B) の連結が、それぞれの連結部(3) の重合と開閉軸要素(4) とにより、該開閉軸要素(4) を取付けた第一鋏要素(A) の刀身部(1) の回動面に対して、開閉軸要素(4) の軸方向の直線運動を回避する球面又は円弧面に沿う方向の運動を第二鋏要素(B) に与えてこれを分離するようにしたことを特徴とする分解式はさみ。
【請求項２】
刀身部(1) と操作握部(2) との間に開閉中心となる連結部(3) を形成した一対の鋏要素が、操作握部(2) の開閉操作による刀身部(1) の開閉機能と、刀身部(1) 相互による剪断機能と、刀身部(1) 相互の所定の開き角度での鋏要素(A)、(B) 相互の分離機能を確保して、前記連結部(3) を開閉軸要素(4)
で開閉自在に連結するようにした分解式はさみにおいて、
前記一対の鋏要素を第一鋏要素(A) と第二鋏要素(B) とに分け、それぞれの鋏要素(A)、(B) の連結部(3) を、表裏を球面の凹凸として相互が嵌合する碗形とした上で、第一鋏要素(A) の碗形の連結部(3)
の中心に軸孔(8) を穿設し、また第二鋏要素(B) の碗形の連結部(3)
には、開閉軸要素(4) から刀身部(1) の刃縁(a) 又は背縁(b) 方向へ離脱するように切除した切欠軸孔(5) を設けるとともに、該碗形の両側にであって前記切欠軸孔(5) の切除方向の縁に、所定の開き角度で球面に沿う回動を許容するための刀身部(1) 幅の離脱用切欠き(6) を形成した構成とし、これら第一鋏要素(A) と第二鋏要素(B) の連結部(3) を、切欠軸孔(5) のある碗形の凹部を球面座部(7) として嵌合するとともに、該球面座部(7) に接する頭部(10)を具備した開閉軸要素(4) を前記切欠軸孔(5)
と軸孔(8) に貫通させ、第一鋏要素(A) と第二鋏要素(B)
を密着させる方向のバネ付勢手段を具備する締結手段で結合したことを特徴とする分解式はさみ。
【発明の詳細な説明】
【０００１】
【発明の属する技術分野】
本発明は、主として、医療、理美容、料理等の分野において、鋏構成要素を分解して洗浄することができ、常に清潔で衛生的な使用を保障する分解式はさみの改良に関するものである。
【０００２】
【従来の技術】
従来のこの種の分解式鋏としては、刀身部と操作握部との間に開閉中心となる連結部を形成した一対の鋏要素の一方に、軸部の径よりも大径の円形頭部の両側を切除し軸方向形状を略軸径幅の長方形頭として掛止顎部を形成した開閉軸要素を、その長方形頭の長手方向が刀身部の方向に対し鈍角で交差する方向に一致させるとともに、バネ付勢に抗する軸方向の動きを許容する非回転として、軸部と長方形頭を他方の鋏要素との摺接面へ突出させて取り付け、一対の鋏要素の他方に、前記長方形頭が嵌合支持する受け座部に掛止顎部が通る切欠部を形成し、該切欠部に長方形頭を通してからいずれかの鋏要素を回動させて、開閉軸要素の掛止顎部と受け座とを掛合させるようにした構造のものが公知である。
【０００３】
上記構成の分解式はさみは、一方の鋏要素から突出した開閉軸要素の長方形頭の方向と、他方の鋏要素の受け座の切欠部の方向が一致すると、一対の鋏要素は開閉軸要素の軸方向に分離させることができるから、洗浄手段によって常に清潔で衛生的な使用を保障することができるものである。
【０００４】
【発明が解決しようとする課題】
しかし一対の鋏要素が鋏の開閉面に対して直角となる開閉軸要素の軸方向に分離する構成では、所定の角度での分離が単純であるために、使用時に開き過ぎたり又分離作業時の不注意によって、一対の鋏要素相互が不用意な分離して落下し、鋏としての或はこれに付加された機能を早期に喪失したり、人体、特に足に対する危険性が極めて高いだけでなく、落下衝突や突き刺さりによって、設備品、床面等を頻繁に損傷する等、多くの欠点があった。
【０００５】
上記の欠点は、安全性確保のために、手動操作によるロック機構或はストッパー機構と解除機構を具備させれば、解消することが考えられるが、構成部品の点数の増加による製品コストの高騰と、取扱操作が複雑且つ面倒となることから、部品点数を増加させることのない単純な構成によって、不用意な落下を防止して安全性と取扱い操作の利便性を確保した上で、本来のニーズである清潔で衛生的な使用ができる分解式はさみを安価に提供することを課題とする。
【０００６】
【課題を解決するための手段】
本発明に係る分解式はさみは、刀身部(1) と操作握部(2) との間に開閉中心となる連結部(3) を形成した一対の鋏要素が、操作握部(2) の開閉操作による刀身部(1) の開閉機能と、刀身部(1) 相互による剪断機能と、刀身部(1) 相互の所定の開き角度での鋏要素(A)、(B) 相互の分離機能を確保して、前記連結部(3) を開閉軸要素(4)
で開閉自在に連結するようにした分解式はさみにおいて、前記一対の鋏要素を第一鋏要素(A) と第二鋏要素(B) とに分け、それぞれの鋏要素(A)、(B) の連結が、それぞれの連結部(3) の重合と開閉軸要素(4) とにより、開閉軸要素(4) を取付けた第一鋏要素(A) の刀身部(1) の回動面に対して、開閉軸要素(4) の軸方向の直線運動を回避する球面又は円弧面に沿う方向の運動を第二鋏要素(B) に与えてこれを分離するようにしたことを特徴とする。
【０００７】
【発明の効果】
上記のように構成した本発明に係る分離式はさみは、一対の鋏要素を第一鋏要素(A) と第二鋏要素(B) とに分け、それぞれの鋏要素(A)、(B) の連結が、それぞれの連結部(3) の重合と開閉軸要素(4) とにより、開閉軸要素(4) を取付けた第一鋏要素(A) の刀身部(1) の回動面に対して、開閉軸要素(4) の軸方向の直線運動を回避する球面又は円弧面に沿う方向の運動を第二鋏要素(B) に与えることによって初めて第二鋏要素(B) を第一要素から分離することができるものであるから、不用意に一対の鋏要素が分解可能角度に開いても、直線運動を回避する方向の運動を第二鋏要素(B) に与えない限り分離することはないから、不用意な落下を防止して安全性と取扱い操作の利便性を確保した上で、本来のニーズである清潔で衛生的な使用を可能とすることができる。
【０００８】
また請求項２に記載のように、第一鋏要素(A) と第二鋏要素(B) との連結部(3) を、表裏を球面の凹凸として相互が嵌合する碗形とした上で、第一鋏要素(A) の碗形の連結部(3)
の中心に軸孔(8) を穿設し、また第二鋏要素(B) の碗形の連結部(3)
には、開閉軸要素(4) から刀身部(1) の刃縁又は背縁方向へ離脱するように切除した切欠軸孔(5) を設けるとともに、該碗形の両側にであって前記切欠軸孔(5) の切除方向の縁に、所定の開き角度で球面に沿う回動を許容するための刀身部(1) 幅の離脱用切欠き(6) を形成した構成とし、これら第一鋏要素(A) と第二鋏要素(B) の連結部(3) を、切欠軸孔(5) のある碗形の凹部を球面座部(7) として嵌合するとともに、該球面座部(7) に接する頭部(10)を具備した開閉軸要素(4) を切欠軸孔(5) と軸孔(8) に貫通させ、第一鋏要素(A) と第二鋏要素(B)
を密着させる方向のバネ付勢手段を具備する締結手段で結合した構成とすることによって、第一鋏要素(A) に対して第二鋏要素(B) が所定の角度に開いた状態で、開閉軸要素(4) の軸部から第二鋏要素(B) の切欠軸孔(5) を抜くように球面に沿う方向に力を作用させると、刀身部(1) 幅の離脱用切欠き(6) の存在によって、第一鋏要素(A) に対する第二鋏要素(B) の回動運動を許容する結果、第一鋏要素(A) に対して第二鋏要素(B) を回動させて分離することができ、不用意な落下を防止して安全性と取扱い操作の利便性が確保できる。
【０００９】
したがって、従来品と比較して、特に部品点数を増加することなく、また加工手段、組立手段を複雑とすることなく簡単に製作することができることから、安全性の高い分離式はさみを、高品質／コスト比率において従来と殆ど変わらない製作コストで提供することができる。
【００１０】
【発明の実施の形態及び実施例】
本発明の実施例に係る分離式はさみを図を用いて説明すると、図１は分解平面図、図２は図１のＣ−Ｃ線における拡大断面図、図３は結合状態から分離させた状態の平面図、図４は図３のＤ−Ｄ部分断面であって、分離又は結合状態を説明するための説明用図であり、従来と同様、構成部品としては、刀身部(1) と操作握部(2) との間に開閉中心となる連結部(3) を形成した一対の鋏要素と、これを開閉自在に連結する開閉軸要素(4) とから構成されており、操作握部(2) の開閉操作による刀身部(1) の開閉機能と、刀身部(1) 相互による剪断機能と、刀身部(1) 相互の所定の開き角度での鋏要素(A)、(B) 相互の分離機能を確保して、前記連結部(3) を開閉軸要素(4)
で開閉自在に連結するようになっているが、連結部(3) の構成に特徴がある。
【００１１】
すなわち、前記一対の鋏要素を第一鋏要素(A) と第二鋏要素(B) とに分け、それぞれの鋏要素(A)、(B) の連結部(3) を、表裏を球面の凹凸として相互が嵌合する碗形とした上で、第一鋏要素(A) の碗形の連結部(3)
の中心に軸孔(8) を穿設し、また第二鋏要素(B) の碗形の連結部(3)
には、開閉軸要素(4) から刀身部(1) の刃縁又は背縁方向へ離脱するように切除した切欠軸孔(5) を設けるとともに、該碗形の両側にであって前記切欠軸孔(5) の切除方向の縁に、所定の開き角度で球面に沿う回動を許容するための刀身部(1) 幅の離脱用切欠き(6) を形成した構成とし、これら第一鋏要素(A) と第二鋏要素(B) の連結部(3) を、切欠軸孔(5) のある碗形の凹部を球面座部(7) として嵌合するとともに、該球面座部(7) に接する頭部(10)を具備した開閉軸要素(4) を切欠軸孔(5) と軸孔(8) に貫通させ、第一鋏要素(A) と第二鋏要素(B) を密着させる方向のコイルバネ(9) からなるバネ付勢手段を介在させてナット(11)により締結したことに特徴がある。
【００１２】
なお上記実施例では、第一鋏要素(A) と第二鋏要素(B) の連結部(3) 及び開閉軸要素(4) のそれぞれに球面を形成して、球面同士が接触しているが、刀身部(1) 相互の摺接による剪断作用が確保される限り、すべてが平面円形の球面でなくても、第一鋏要素(A) と第二鋏要素(B)
との連結が、相互の軸回りの回動を確保した上で、それぞれの連結部(3) の重合と開閉軸要素(4) とにより、開閉軸要素(4) を取付けた第一鋏要素(A) の刀身部(1) の軸回りの回動面に対して、開閉軸要素(4) の軸方向の直線運動を回避する方向の運動を第二鋏要素(B) に与えてこれを分離するようにすれば良いことであるから、上記実施例に限定されるものではない。
【００１３】
上記構成の分解式はさみは、図３、図４に示すように、第一鋏要素(A) に対して第二鋏要素(B) が略９０度以上の角度に開いた状態で、開閉軸要素(4) の軸部から第二鋏要素(B) の切欠軸孔(5) を抜くように球面に沿う方向に力を作用させると、刀身部(1) 幅の離脱用切欠き(6) の存在によって、第一鋏要素(A) に対する第二鋏要素(B) の回動運動を許容する結果、第一鋏要素(A) に対して第二鋏要素(B) を図４中の白抜矢印の方向に回動させた後に分離することができるようになるから、軸方向の重力の作用等によっては分離されることがなく、不用意な落下を防止して安全性と取扱い操作の利便性が確保できるのである。
【図面の簡単な説明】
【図１】  本発明の実施例に係る分離式はさみの分解平面図。
【図２】  図１のＣ−Ｃ線における拡大断面図。
【図３】  結合状態から分離させた状態の平面図。
【図４】  図３のＤ−Ｄ部分の断面であって結合状態から分離した状態を説明するための説明用図。
【符号の説明】
(A)     第一鋏要素
(B)     第二鋏要素
(1)     刀身部
(2)     操作握部
(3)     連結部
(4)     開閉軸
(5)     切欠軸孔
(6)     離脱用切欠き
(7)     球面座部
(8)     軸孔
(9)     コイルバネ
(10)    頭  部
(11)    ナット
【図１】
0004310484.tif 000002
【図２】
0004310484.tif 000003
【図３】
0004310484.tif 000004
【図４】
0004310484.tif 000005